(57)【要約】【課題】入力される画像信号へのノイズの混入等によって同期信号の変化が生じただけでは画像の表示が停止されないようにする。【解決手段】画像表示装置は、外部機器から入力インターフェース１０４から入力された入力画像信号を受信する受信手段１０５，１０６と、入力画像信号に対して画像処理を行って出力画像信号を生成する画像処理手段１０２と、出力画像信号に対応する表示用画像を表示する表示手段１０７，１０８とを有する。受信手段は、外部機器との通信の結果に応じて入力画像信号を画像処理手段に伝送可能な第１の動作モードと入力画像信号を画像処理手段に伝送しない第２の動作モードとの切り替えが可能である。制御手段１０３，１０６は、入力画像信号に含まれる同期信号の変化を検出し、かつ受信手段が第１の動作モードから第２の動作モードに切り替わったことに応じて表示用画像の表示を停止させる。【選択図】図１
2016042114.tif 000002
【特許請求の範囲】
【請求項１】
外部機器から入力インターフェースを通して入力された入力画像信号を受信する受信手段と、
前記入力画像信号に対して画像処理を行うことで出力画像信号を生成する画像処理手段と、
前記出力画像信号に対応する表示用画像を表示する表示手段と、
前記入力画像信号に含まれる同期信号の変化の有無を検出し、該検出の結果を用いて前記表示手段による前記表示用画像の表示とその停止を制御する制御手段とを有し、
前記受信手段は、前記外部機器との通信の結果に応じて、前記入力画像信号を前記画像処理手段に伝送可能な第１の動作モードと前記入力画像信号を前記画像処理手段に伝送しない第２の動作モードとの切り替えが可能であり、
前記制御手段は、前記同期信号の変化を検出し、かつ前記受信手段が前記第１の動作モードから前記第２の動作モードに切り替わったことに応じて前記表示用画像の表示を停止させることを特徴とする画像表示装置。
【請求項２】
前記制御手段は、前記表示用画像の表示を停止させたときに、前記表示手段に前記表示用画像とは異なる特定画像を表示させることを特徴とする請求項１に記載の画像表示装置。
【請求項３】
前記制御手段は、前記外部機器と前記入力インターフェースとがノンシールドケーブルにより接続されている場合において、前記同期信号の変化を検出し、かつ前記受信手段が前記第１の動作モードから前記第２の動作モードに切り替わったことに応じて前記表示用画像の表示を停止させることを特徴とする請求項１または２に記載の画像表示装置
【請求項４】
前記入力画像信号は、少なくとも通信用の信号と多重化された多重信号として前記外部機器から前記入力インターフェースを通して入力されることを特徴とする請求項１から３のいずれか一項に記載の画像表示装置。
【請求項５】
前記制御手段は、前記入力画像信号が互いに接続規格が異なる第１の画像信号か第２の画像信号かを判定し、
前記入力画像信号が第１の画像信号である場合は、前記同期信号の変化を検出することに応じて前記表示用画像の表示を停止させ、
前記入力画像信号が第２の画像信号である場合は、前記同期信号の変化を検出し、かつ前記受信手段が前記第１の動作モードから前記第２の動作モードに切り替わったことに応じて前記表示用画像の表示を停止させることを特徴とする請求項１または２に記載の画像表示装置。
【請求項６】
外部機器から入力インターフェースを通して入力された入力画像信号を受信する受信手段と、前記入力画像信号に対して画像処理を行うことで出力画像信号を生成する画像処理手段と、前記出力画像信号に対応する表示用画像を表示する表示手段とを有する画像表示装置のコンピュータに、
前記入力画像信号に含まれる同期信号の変化の有無を検出させ、
該検出の結果を用いて前記表示手段による前記表示用画像の表示とその停止を制御させるコンピュータプログラムであって、
前記受信手段が、前記外部機器との通信の結果に応じて、前記入力画像信号を前記画像処理手段に伝送可能な第１の動作モードと前記入力画像信号を前記画像処理手段に伝送しない第２の動作モードとの切り替えが可能である場合において、
前記コンピュータに、前記同期信号の変化を検出し、かつ前記受信手段が前記第１の動作モードから前記第２の動作モードに切り替わったことに応じて前記表示用画像の表示を停止させることを特徴とする画像表示制御プログラム。
【発明の詳細な説明】
【技術分野】
【０００１】
本発明は、外部機器から画像信号が入力されることで画像を表示する画像表示装置に関する。
【背景技術】
【０００２】
画像信号を出力する外部機器とコネクタを介して接続され、入力された画像信号に対応する画像を表示する画像表示装置としては、プロジェクタや直視型ディスプレイ等がある。これらの画像表示装置では、画像表示状態において画像信号が切り替わったりコネクタの挿抜が行われたりすると、画像信号の入力が不安定になり、表示画像が乱れる。このため、画像信号に含まれる同期信号を監視し、同期信号の変化を検出した場合に、画像の表示を停止する画像表示装置が提案されている。特許文献１には、入力された画像信号に含まれる同期信号の周波数および位相のうち少なくとも一方と、基準となる発振信号の周波数および位相のうち少なくとも一方とを比較し、これらの不一致を検出した場合は画像の表示を停止する画像表示装置が開示されている。  
【先行技術文献】
【特許文献】
【０００３】
【特許文献１】特開平１０−４９０９３号公報
【発明の概要】
【発明が解決しようとする課題】
【０００４】
しかしながら、特許文献１にて開示された画像表示装置では、入力される画像信号に静電気等のノイズが混入することで画像信号に含まれる同期信号の周波数や位相が乱れ、それを画像信号の切り替えやコネクタの挿抜として誤検出する可能性がある。このような誤検出により、画像の表示が不必要に停止される。特に外部機器と画像表示装置との接続に、シールド加工されていないノンシールドケーブルが使用されると、外部機器から画像表示装置に入力される画像信号にノイズが混入し易いため、上記のような誤検出が発生し易い。
【０００５】
本発明は、入力される画像信号へのノイズの混入等によって同期信号の変化が生じただけでは画像の表示が停止されないようにした画像表示装置および画像表示プログラムを提供する。
【課題を解決するための手段】
【０００６】
本発明の一側面としての画像表示装置は、外部機器から入力インターフェースを通して入力された入力画像信号を受信する受信手段と、入力画像信号に対して画像処理を行うことで出力画像信号を生成する画像処理手段と、出力画像信号に対応する表示用画像を表示する表示手段と、入力画像信号に含まれる同期信号の変化の有無を検出し、該検出の結果を用いて表示手段による表示用画像の表示とその停止を制御する制御手段とを有する。受信手段は、外部機器との通信の結果に応じて、入力画像信号を画像処理手段に伝送可能な第１の動作モードと入力画像信号を画像処理手段に伝送しない第２の動作モードとの切り替えが可能である。そして、制御手段は、同期信号の変化を検出し、かつ受信手段が第１の動作モードから第２の動作モードに切り替わったことに応じて表示用画像の表示を停止させることを特徴とする。
【０００７】
また、本発明の他の一側面としての画像表示制御プログラムは、外部機器から入力インターフェースを通して入力された入力画像信号を受信する受信手段と、入力画像信号に対して画像処理を行うことで出力画像信号を生成する画像処理手段と、出力画像信号に対応する表示用画像を表示する表示手段とを有する画像表示装置のコンピュータに、入力画像信号に含まれる同期信号の変化の有無を検出させ、該検出の結果を用いて表示手段による表示用画像の表示とその停止を制御させるコンピュータプログラムである。受信手段が、外部機器との通信の結果に応じて、入力画像信号を画像処理手段に伝送可能な第１の動作モードと入力画像信号を画像処理手段に伝送しない第２の動作モードとの切り替えが可能である場合において、コンピュータに、同期信号の変化を検出し、かつ受信手段が第１の動作モードから第２の動作モードに切り替わったことに応じて表示用画像の表示を停止させることを特徴とする。
【発明の効果】
【０００８】
本発明では、同期信号の変化だけでなく、受信手段が第１の動作モードから第２の動作モードに切り替わったことに応じて表示用画像の表示を停止させる。このため、本発明によれば、入力画像信号へのノイズの混入等によって生じた同期信号の変化だけでは出力画像の表示が停止されない、すなわち表示用画像の不必要な表示停止を回避可能な画像表示装置を実現することができる。
【図面の簡単な説明】
【０００９】
【図１】本発明の実施例であるプロジェクタの構成を示すブロック図。
【図２】実施例のプロジェクタの動作を示すフローチャート。
【発明を実施するための形態】
【００１０】
以下、本発明の実施例について図面を参照しながら説明する。
【実施例１】
【００１１】
図１には、本発明の実施例である画像表示装置としてのプロジェクタの構成を示している。
【００１２】
ＤＶＩインターフェース１００は、第１の画像信号であるＤＶＩ画像信号（映像信号）を出力可能な不図示の外部機器であるＤＶＩ出力機器がコネクタを介して接続され、該ＤＶＩ出力機器からＤＶＩ画像信号が入力される入力インターフェースである。ＤＶＩインターフェース１００を通して入力されたＤＶＩ画像信号（入力画像信号）は、ＤＶＩ信号受信部１０１により受信される。
【００１３】
ＤＶＩ信号受信部１０１は、ＤＶＩ画像信号を後段の画像信号処理部１０２によって画像処理が可能なデジタル画像データに変換し、該デジタル画像データを画像信号処理部１０２に出力する。また、ＤＶＩ信号受信部１０１は、入力されたＤＶＩ画像信号に含まれる同期信号を監視する監視手段としての機能を有し、後述するＭＰＵ１０３の要求に応じて監視結果をＭＰＵ１０３に出力する。具体的には、ＤＶＩ信号受信部１０１は、同期信号の周期および位相のうち少なくとも一方を監視して、それに所定時間の間、所定レベルを超える変化がなければ同期信号は安定していると判定し、所定レベルを超える変化が生じれば同期信号が変化したと判定する。そして、この判定結果（監視結果）をＭＰＵ１０３に出力する。
【００１４】
なお、ＤＶＩインターフェース１００に代えて又はＤＶＩインターフェース１００とともに、ＨＤＭＩ（登録商標）やＶＧＡ等の他の画像信号に対応した入力インターフェースを設けてもよい。この場合、入力される画像信号に応じた画像信号受信部を設ければよい。
【００１５】
ＨＤＢＴインターフェース１０４は、ＤＶＩとは異なる接続規格であるＨＤＢａｓｅＴに対応した多重信号であるＨＤＢＴ信号を出力可能な外部機器である不図示のＨＤＢＴ出力機器がコネクタを介して接続され、該ＨＤＢＴ出力機器からＨＤＢＴ信号が入力される入力インターフェースである。ＨＤＢＴ信号は、画像信号（映像信号）と、通信用のＥＴＨＥＲ信号と、制御信号等が多重化された信号であり、ＨＤＢＴインターフェース１０４から入力されたＨＤＢＴ信号は、ＨＤＢＴ信号受信部１０５により受信される。
【００１６】
ＨＤＢＴ信号受信部１０５は、ＨＤＢＴ信号を画像信号（第２の画像信号としての入力画像信号：以下、ＨＤＢＴ画像信号という）、ＥＴＨＥＲ信号および制御信号等に復号する。そして、ＨＤＢＴ画像信号を画像信号受信部１０６に、ＥＴＨＥＲ信号と制御信号をＭＰＵ１０３にそれぞれ出力する。また、ＨＤＢＴ信号受信部１０５は、ＨＤＢＴ出力機器との間で定期的に通信を行い、通信結果に応じて自身の動作モードを切り替える。通信結果には、通信不可も含む。ＨＤＢＴ信号受信部１０５の動作モードには、以下の画像伝送モード（第１の動作モード）とスタンバイモード（第２の動作モード）とがある。画像伝送モードは、ＨＤＢＴ画像信号を画像信号受信部１０６を介して画像信号処理部１０２に伝送可能な動作モードである。また、スタンバイモードは、ＨＤＢＴ画像信号を画像信号受信部１０６（つまりは画像信号処理部１０２）に伝送しない動作モードである。
【００１７】
画像伝送モードにおいて、ＨＤＢＴ出力機器からＨＤＢＴ画像信号が切り替えられたことを示す通信を受けた場合に、ＨＤＢＴ信号受信部１０５は、画像伝送モードからスタンバイモードに切り替わる。また、画像伝送モードにおいて、ＨＤＢＴインターフェース１０４からＨＤＢＴ出力機器との接続用のコネクタが抜けてＨＤＢＴ出力機器との通信が不可との通信結果を得た場合も、ＨＤＢＴ信号受信部１０５は、画像伝送モードからスタンバイモードに切り替わる。
【００１８】
なお、画像信号を画像信号処理部１０２に伝送しない動作モードとしては、スタンバイモード以外のモードであってもよい。
【００１９】
また、ＨＤＢＴ信号受信部１０５は、自身の動作モードを切り替えた際に、動作モード変化割り込み信号をＭＰＵ１０３に出力する。さらに、ＨＤＢＴ信号受信部１０５は、ＭＰＵ１０３からの要求に応じて自身の現在の動作モードをＭＰＵ１０３に通知する。
【００２０】
画像信号受信部１０６は、ＨＤＢＴ信号受信部１０５から入力されたＨＤＢＴ画像信号を、後段の画像信号処理部１０２にて画像処理が可能なデジタル画像データに変換し、該デジタル画像データを画像信号処理部１０２に出力する。また、画像信号受信部１０６は、入力されたＨＤＢＴ画像信号に含まれる同期信号を監視する監視手段としての機能を有し、ＭＰＵ１０３の要求に応じて監視結果をＭＰＵ１０３に出力する。具体的には、画像信号受信部１０６は、同期信号の周期および位相のうち少なくとも一方を監視して、それに所定時間の間、所定レベルを超える変化がなければ同期信号は安定していると判定し、所定レベルを超える変化が生じれば同期信号が変化したと判定する。そして、この判定結果（監視結果）をＭＰＵ１０３に出力する。ＨＤＢＴ信号受信部１０５と画像信号受信部１０６とにより受信手段が構成される。
【００２１】
画像信号処理部１０２は、入力されたデジタル画像データに対して、解像度変換、台形補正、明るさ補正、コントラスト補正、色合い補正等の各種画像処理を行うことで、出力画像信号としての表示用画像信号を生成する。
【００２２】
画像信号処理部１０２から出力された表示用画像信号は、パネル駆動部１０７に出力される。また、画像信号処理部１０２は、ＭＰＵ１０３による入力切り替え制御に応じてパネル駆動部１０７に出力する表示用画像信号を切り替える。すなわち、ＤＶＩ信号受信部１０１からのデジタル画像データから生成された表示用画像信号と、画像信号受信部１０６からのデジタル画像データから生成された表示用画像信号のうちいずれの表示用画像信号をパネル駆動部１０７に出力するかを切り替える。
【００２３】
パネル駆動部１０７は、入力された表示用画像信号に基づいて光変調素子としての液晶パネル１０８を駆動する。パネル駆動部１０７および液晶パネル１０８により表示手段が構成される。なお、液晶パネル１０８に代えて、デジタルマイクロミラーデバイス等の他の光変調素子を用いてもよい。
【００２４】
ランプ駆動部１０９は、光源としてのランプ１１０の点灯／消灯を制御したり、ランプ１１０への供給電力を一定に保つように制御したりする。
【００２５】
ランプ１１０から発せられた光は、液晶パネル１０８に導かれ、液晶パネル１０８によって画像変調される。画像変調された光は、投射レンズ１１１によって不図示のスクリーン等の被投射面に投射される。これにより、表示用画像信号に対応する表示用画像が被投射面上に表示される。
【００２６】
ＭＰＵ１０３は、入力されたＥＴＨＥＲ信号や制御信号、もしくは操作部１１２からユーザ操作に応じて入力された操作信号に対応する動作を行う。また、ＭＰＵ１０３は、ＤＶＩ信号受信部１０１および画像信号受信部１０６からの同期信号の監視結果を受けて、該同期信号の変化（周期および位相のうち少なくとも一方）の有無を検出する。ＤＶＩ信号受信部１０１および画像信号受信部１０６の同期信号の監視手段としての機能とＭＰＵ１０３とにより制御手段が構成される。
【００２７】
さらに、ＭＰＵ１０３は、同期信号の変化の有無の検出結果を用いて、画像信号処理部１０２に対して、表示用画像の表示を行う指令（以下、表示指令という）と、表示用画像の表示を停止させる指令（以下、表示停止指令という）とを出力することができる。すなわち、表示用画像の表示とその停止を制御することができる。表示指令を受けた画像信号処理部１０２は、パネル駆動部１０７に対して表示用画像信号を出力し、表示用画像を表示させる。一方、表示停止指令を受けた画像信号処理部１０２は、パネル駆動部１０７に対する表示用画像信号の出力を停止することで、表示用画像の表示を停止させる。この際、画像信号処理部１０２は、パネル駆動部１０７に対して、表示用画像とは異なる特定画像、例えば全黒画像に対応した画像信号を出力し、表示用画像に代えて特定画像が被投射面に表示されるようにしてもよい。
【００２８】
次に、図２のフローチャートを用いて、本実施例のプロジェクタ（ＭＰＵ１０３）の動作を説明する。コンピュータとしてのＭＰＵ１０３は、コンピュータプログラムである画像表示制御プログラムに従って以下の動作（処理）を行う。
【００２９】
ステップ（図にはＳと記す）１００では、ＭＰＵ１０３は、画像信号処理部１０２に対して現在行っている入力切り替え制御を確認する。すなわち、ＤＶＩ信号受信部１０１からのデジタル画像データから生成された表示用画像信号と、画像信号受信部１０６からのデジタル画像データから生成された表示用画像信号のうちいずれの表示用画像信号をパネル駆動部１０７に出力させているかを確認する。ＭＰＵ１０３は、ＤＶＩ信号受信部１０１からのデジタル画像データから生成された表示用画像信号をパネル駆動部１０７に出力させている場合はステップ１０１に進む。一方、画像信号受信部１０６からのデジタル画像データから生成された表示用画像信号をパネル駆動部１０７に出力させている場合はステップ１０５に進む。
【００３０】
ステップ１０１では、ＭＰＵ１０３は、時間カウントをスタートさせ、その後ステップ１０２に進む。
【００３１】
ステップ１０２では、ＭＰＵ１０３は、時間カウントが前述した所定時間（例えば、２００ミリ秒）経過したか否かを判定し、経過した場合はステップ１０３に進み、そうでない場合はステップ１００に戻る。
【００３２】
ステップ１０３では、ＭＰＵ１０３は、時間カウントをリセットする。
【００３３】
そして、ステップ１０４では、ＭＰＵ１０３は、ＤＶＩ信号受信部１０１に対して同期信号の監視結果を問い合わせる。監視結果が同期信号の変化が生じたことを示す場合（ＭＰＵ１０３が同期信号の変化を検出した場合）は、ＭＰＵ１０３はステップ１０９に進み、そうでなければステップ１００に戻る。
【００３４】
ステップ１０４からステップ１０９に進んだ場合は、ＭＰＵ１０３は、画像信号処理部１０２に対して表示停止指令を出力し、表示用画像の表示を停止させる。つまり、ＭＰＵ１０３は、ＤＶＩ画像信号（第１の画像信号）に含まれる同期信号に変化が生じたことを検出した場合は、その同期信号の変化の検出のみに応じて表示用画像の表示を停止させる。
【００３５】
一方、ステップ１０５では、ＭＰＵ１０３は、ＨＤＢＴ信号受信部１０５の動作モードを確認する。そして、ＭＰＵ１０３は、続くステップ１０６において、ＨＤＢＴ信号受信部１０５の動作モードが画像伝送モードであればステップ１０７に進み、スタンバイモードであればステップ１００に戻る。
【００３６】
ステップ１０７では、ＭＰＵ１０３は、画像伝送モードからスタンバイモードへの切り替わりを示す動作モード変化割り込み信号が発生したか否かを確認する。発生した場合はステップ１０８に進み、そうでなければステップ１００に戻る。
【００３７】
ステップ１０８では、ＭＰＵ１０３は、画像信号受信部１０６に対して同期信号の監視結果を問い合わせる。監視結果が同期信号の変化が生じたことを示す場合（ＭＰＵ１０３が同期信号の変化を検出した場合）は、ＭＰＵ１０３はステップ１０９に進み、そうでなければステップ１００に戻る。
【００３８】
ステップ１０８からステップ１０９に進んだ場合は、ＭＰＵ１０３は、画像信号処理部１０２に対して表示停止指令を出力し、表示用画像の表示を停止させる。つまり、ＭＰＵ１０３は、ＨＤＢＴ画像信号（第２の画像信号）に含まれる同期信号に変化が生じたことを検出した場合は、その同期信号の変化の検出だけでなく、画像伝送モードからスタンバイモードへの切り替わりに応じて表示用画像の表示を停止させる。同期信号の変化と画像伝送モードからスタンバイモードへの切り替わりの両方が生じる場合は、前述したように入力画像信号が切り替えられたりＨＤＢＴインターフェース１０４からＨＤＢＴ出力機器との接続用のコネクタが抜けたり（抜かれたり）する場合である。したがって、同期信号の変化と画像伝送モードからスタンバイモードへの切り替わりの両方に応じて表示用画像の表示を停止させることで、入力画像信号へのノイズ混入に起因した表示用画像の不必要な表示停止を回避することができる。特に、ＨＤＢＴインターフェース１０４とＨＤＢＴ出力機器との接続にノイズ混入が生じ易いノンシールドケーブルが使用される場合に有効である。
【００３９】
以上説明した各実施例は代表的な例にすぎず、本発明の実施に際しては、各実施例に対して種々の変形や変更が可能である。
【符号の説明】
【００４０】
１０２  画像信号処理部
１０３  ＭＰＵ
１０４  ＨＤＢＴインターフェース
１０５  ＨＤＢＴ信号受信部
１０６  画像信号受信部
【図１】
2016042114.tif 000003
【図２】
2016042114.tif 000004